(57)【要約】【課題】両側部からの排泄物の漏出をより抑制するインナーシール部及びアウターシール部を備えた使い捨ておむつ、おむつアウターを提供する。【解決手段】トップシート２側の両側部に設けられ、長手方向に延設された伸縮可能なインナーシール部５、６と、バックシート３側の両側部に設けられ、長手方向に延設された伸縮可能なアウターシール部７，８とを備え、前記アウターシール部７，８を伸縮させる第２弾性部材７ｂ、８ｂの伸縮力が、前記インナーシール部５，６を伸縮させる第１弾性部材５ｂ、６ｂの伸縮力よりも大きく設定されると共に、前記インナーシール部５，６を前記アウターシール部７，８で押える。【選択図】図２
2014121374.tif 000002
【特許請求の範囲】
【請求項１】
液透過性のトップシートと、液不透過性のバックシートと、前記トップシートとバックシートの間に介在する液吸収保持性の吸収体と、前記トップシート、バックシート、吸収体で構成されるおむつの長手方向の後端側に配置され、前記おむつの短手方向に延出されたベルトと、前記ベルトの一端側に形成され、他端側のベルトと連結する止着部と、前記おむつの両側部に設けられ、長手方向に延設された伸縮可能なインナーシール部と、前記おむつの両側部に設けられ、長手方向に延設された伸縮可能なアウターシール部と、インナーシール部の長手方向の前方部に設けられた、前記ベルトに固定される止着部と、を備え、
前記アウターシール部を伸縮させる第２弾性部材の伸縮力が、前記インナーシール部を伸縮させる第１弾性部材の伸縮力よりも大きく設定されると共に、前記インナーシール部を前記アウターシール部で体側に押えることを特徴とする使い捨ておむつ。
【請求項２】
前記インナーシール部を伸縮させる第１弾性部材の形成領域は、おむつの短手方向において少なくとも１０ｍｍ以上の寸法を有し、
前記アウターシール部を伸縮させる第２弾性部材の形成領域は、おむつの短手方向において、前記第１弾性部材の形成領域の５０％以上で重なっていることを特徴とする請求項１記載の使い捨ておむつ。
【請求項３】
前記アウターシール部を伸縮させる第２弾性部材の形成領域が、おむつの短手方向において、前記第１弾性部材の形成領域の幅寸法と同一寸法以上の長さに形成されていることを特徴とする請求項１または請求項２記載の使い捨ておむつ。
【請求項４】
前記第２弾性部材が少なくともおむつ長手方向中心から臀部側に少なくとも１００ｍｍ以上の長さ寸法を有して形成されていることを特徴とする請求項１乃至請求項３のいずれかに記載の使い捨ておむつ。
【請求項５】
前記第１弾性部材及び第２弾性部材は、複数本の弾性伸縮材からなり、前記第１弾性部材における１本の弾性伸縮材の伸縮力は、第２弾性部材における１本の弾性伸縮材の伸縮力より弱く、かつ前記第１弾性部材における弾性伸縮材の本数が、第２弾性部材における弾性伸縮材の本数よりも多く、前記複数本の第２弾性部材の全体の伸縮力が、前記複数本の第１弾性部材の全体の伸縮力よりも大きいことを特徴とする請求項１乃至請求項４のいずれかに記載の使い捨ておむつ。
【請求項６】
液透過性のシートと、前記シートの長手方向の後端側に配置されたベルトと、前記ベルトの一端に形成され、他端側のベルトを連結する止着部と、前記シートの両側部に設けられ、前記シートの長手方向に延設された伸縮可能なインナーシール部と、前記シートの両側部に設けられ、前記シートの長手方向に延設された伸縮可能なアウターシール部と、前記インナーシール部の前方部に設けられた、前記ベルトに固定される止着部と、を備え、
前記アウターシール部を伸縮させる第２弾性部材の伸縮力が、前記インナーシール部を伸縮させる第１弾性部材の伸縮力よりも大きく設定されると共に、
前記インナーシール部の外側を前記アウターシール部で押えることを特徴とするおむつアウター。
【請求項７】
前記インナーシール部を伸縮させる第１弾性部材の形成領域は、前記シートの幅方向において少なくとも１０ｍｍ以上の寸法を有し、
前記アウターシール部を伸縮させる第２弾性部材の形成領域は、前記シートの幅方向において、前記第１弾性部材の形成領域の５０％以上で重なっていることを特徴とする請求項６記載のおむつアウター。
【請求項８】
前記アウターシール部を伸縮させる第２弾性部材の形成領域が、前記シートの幅方向において、前記第１弾性部材の形成領域の幅寸法と同一寸法以上の長さに形成されていることを特徴とする請求項６または請求項７記載のおむつアウター。
【請求項９】
前記第２弾性部材が少なくともおむつ長手方向中心から臀部側に少なくとも１００ｍｍ以上の長さ寸法を有して形成されていることを特徴とする請求項６乃至請求項８のいずれかに記載のおむつアウター。
【請求項１０】
前記第１弾性部材及び第２弾性部材は、複数本の弾性伸縮材からなり、前記第１弾性部材における１本の弾性伸縮材の伸縮力は、第２弾性部材における１本の弾性伸縮材の伸縮力より弱く、かつ前記第１弾性部材における弾性伸縮材の本数が、第２弾性部材における弾性伸縮材の本数よりも多く、前記複数本の第２弾性部材の全体の伸縮力が、前記複数本の第１弾性部材の全体の伸縮力よりも大きいことを特徴とする請求項６乃至請求項９のいずれかに記載のおむつアウター。
【発明の詳細な説明】
【技術分野】
【０００１】
本発明は使い捨ておむつ及びおむつアウターに関し、特に、両側部からの排泄物の漏出をより防止した使い捨ておむつ及びおむつアウターに関する。
【背景技術】
【０００２】
従来の使い捨ておむつ及びおむつアウターにあっては、従来から排泄物の漏出防止が要求されており、この要求に対して色々な改良がなされており、その一例を特許文献１に示された使い捨ておむつを例にとって図９に基づいて説明する。尚、図９は特許文献１に示された使い捨ておむつを装着した時の断面図である。
【０００３】
図９における符号Ｆは左右の脚部、符号Ｓは鼠径部Ｓを示し、図９は、いわゆる股下部を表わしている。
図９に示した使い捨ておむつ１００は、液透過性のトップシート１０１と、液不透過性のバックシート１０２と、前記トップシート１０１とバックシート１０２の間に介在する液吸収保持性の吸収体１０３とを備えている。
また、前記使い捨ておむつ１００にあっては、長手方向に沿って両側部に立体ギャザー１０４ａ、１０４ｂを備えている。これら立体ギャザー１０４ａ、１０４ｂは、弾性伸縮部材の伸縮により表面側に突出し、壁のように形成されて、前記吸収体１０３縁部からの排泄物の漏出を抑制するものである。
【０００４】
また、前記使い捨ておむつ１００にあっては、長手方向に沿って両側部に弾性伸縮部材を配設したレッグギャザー１０５ａ、１０５ｂを備えている。これらレッグギャザー１０５ａ、１０５ｂは、立体ギャザー１０４ａ、１０４ｂと異なり表面側に突出した壁を形成するものではなく、脚部Ｆと密着させて隙間を無くすものである。
【０００５】
このようなおむつ１００にあっては、長手方向に沿って両側部に立体ギャザー１０４ａ、１０４ｂが設けられているため、図９に示すように、前記おむつ１００の装着時において、前記立体ギャザー１０４ａ、１０４ｂは立ち上がり、その先端部１０４ａ１，１０４ｂ１は、使用者の体（鼠けい部、股部、臀部）に接する。
その結果、前記立体ギャザー１０４ａ、１０４ｂによって、おむつ両側部からの排泄物の漏出は抑制される。また、レッグギャザー１０５ａ、１０５ｂは脚部Ｆと密着して隙間を無くし、濡れたおむつ素材が衣類と接触することを防ぐ。このように立体ギャザー１０４ａ、１０４ｂとレッグギャザー１０５ａ、１０５ｂは機能が異なり、またそれぞれが独立して機能するものである。
【０００６】
このように従来の使い捨ておむつは、立体ギャザーを体に押し当てることにより隙間を塞ぎ、漏れを防止するものである。
しかしながら、前記立体ギャザー１０４ａ、１０４ｂは、おむつの動きに強い影響を受けるトップシート１０１に固定されているため、おむつが動くことによって（トップシート１０１が位置ずれを起こすことによって）、立体ギャザー１０４ａ，１０４ｂが動き、前記立体ギャザー１０４ａ、１０４ｂと体（股部、臀部）との間に隙間が生じるという課題があった。
例えば、おむつ１００に重量のある排泄物が排泄された場合にトップシート１０１が重みで下方に下がり、立体ギャザー１０４ａ、１０４ｂも前記トップシート１０１と共に下がり、立体ギャザー１０４ａ、１０４ｂと体（鼠けい部、股部、臀部）との間に隙間が生じ、排泄物の漏出を抑制できないという課題があった。
【０００７】
また、立体ギャザー１０４ａ、１０４ｂと体（鼠けい部、股部、臀部）とが密着していないために、水分の多い排泄物は立体ギャザー部１０４ａ、１０４ｂの上端部と体（鼠けい部、股部、臀部）の隙間から流出し、排泄物の漏出を抑制できないという課題があった。
尚、前記レッグギャザー１０５ａ、１０５ｂによっても、排泄物の漏出が抑制されるが、レッグギャザー周辺に溜まった排泄物は吸収体で吸収されることはなく、しかも図９に示すように、立体ギャザー部１０４ａ、１０４ｂとレッグギャザー１０５ａ、１０５ｂの間に、排泄物が滞留し、脚部Ｆを汚すという課題があった。
【０００８】
これら課題を解決するために、本出願人は、先に特許文献２において、おむつ長手方向に沿って両側部に弾性伸縮部を配設したインナーシール構造を採用した使い捨ておむつ及びおむつアウターを提案している。
このインナーシール構造を採用した使い捨ておむつ１００にあっては、おむつを装着する際には、図１０に示すように、おむつの前端側を、股間を通して腹側に大きな力で引き上げ、同時におむつ長手方向に沿って両側部に配設された弾性伸縮部（インナーシール部）１０９を引き上げ、前記弾性伸縮部１０９の前方部のフラップ部１００ａに設けられた止着部１０８をベルト１０６に固定させることで、インナーシール部を体（鼠けい部、股部、臀部）に密接させる。
これにより、使い捨ておむつ１００からの排泄物の漏出を抑制している。尚、符号１０７は、ベルト１０６の一端をベルト１０６に固定するための止着部である。
【先行技術文献】
【特許文献】
【０００９】
【特許文献１】特開２０００−２３２９９３号公報
【００１０】
【特許文献２】国際公開ＷＯ２０１０／１３４１６９号公報
【発明の概要】
【発明が解決しようとする課題】
【００１１】
ところで、前記したインナーシール構造を採用した使い捨ておむつにおいて、おむつの前端側を持って大きな力で引き上げても、おむつがＵ字形に湾曲しているため股部でひっかかりが生じ、股部後方から臀部にかけておむつを十分に引っ張って装着することが困難である。特に、使用者が座位状態でおむつを交換する場合は、おむつが体で押さえつけられることがあり、股部後方から臀部にかけておむつを引っ張って装着するのは困難である。
その結果、前記したようにおむつの前端側を、股間を通して腹側に大きな力で引き上げても、インナーシール部と体（股部、臀部）との間に隙間が生じ、この隙間から排泄物が漏出する虞がある。この課題はおむつに限らず、おむつアウターについても同様である。
【００１２】
この課題を解決するために、本願発明者らは鋭意研究し、おむつ及びおむつアウターの長手方向に沿って両側部に長手方向に伸縮可能なインナーシール部を形成し、前記インナーシール部を、体（鼠けい部、股部、臀部）に密接させると共に、更にインナーシール部の外側から前記インナーシール部よりも大きな伸縮力を有するアウターシール部でインナーシール部を押え、おむつ両側部、おむつアウターの両側部からの排泄物の漏出を抑制することを想到するに至った。
【００１３】
本発明は、上記技術的課題を解決するためになされたものであり、おむつ両側部からの排泄物の漏出をより抑制することができるインナーシール部及びアウターシール部を備える使い捨ておむつを提供することを目的とするものである。また、おむつアウターの両側部からの排泄物の漏出をより抑制することができるインナーシール部及びアウターシール部を備えるおむつアウターを提供することを目的とするものである。
【課題を解決するための手段】
【００１４】
本発明は上記目的を達成するためになされたものであり、本発明にかかる使い捨ておむつは、液透過性のトップシートと、液不透過性のバックシートと、前記トップシートとバックシートの間に介在する液吸収保持性の吸収体と、前記トップシート、バックシート、吸収体で構成されるおむつの長手方向の後端側に配置され、前記おむつの短手方向に延出されたベルトと、前記ベルトの一端側に形成され、他端側のベルトと連結する止着部と、前記おむつの両側部に設けられ、長手方向に延設された伸縮可能なインナーシール部と、前記おむつの両側部に設けられ、長手方向に延設された伸縮可能なアウターシール部と、インナーシール部の長手方向の前方部に設けられた、前記ベルトに固定される止着部と、を備え、前記アウターシール部を伸縮させる第２弾性部材の伸縮力が、前記インナーシール部を伸縮させる第１弾性部材の伸縮力よりも大きく設定されると共に、前記インナーシール部を前記アウターシール部で体側に押えることを特徴としている。
【００１５】
このおむつにあっては、インナーシール部及びアウターシール部が配設されたおむつの前端部を、股間を通して着用者の腹側に、インナーシール部およびアウターシール部を引延ばしながら（インナーシール部を鼠径部、股部、臀部に密接させながら）前記インナーシール部の長手方向の前方部に設けられた止着部をベルトに固定させることによって、おむつを装着する。
このおむつ装着時、インナーシール前方部に設けた止着部をベルトに固定させるので、前記第１弾性部材を十分に伸ばした状態を維持することができ、インナーシール部を鼠径部、股部、臀部に密接させ続けることができると共に、更に、インナーシール部の外側を前記アウターシール部で押えるため、おむつ両側部からの排泄物の漏出をより抑制できる。
特に、アウターシール部を伸縮させる第２弾性部材の伸縮力が、前記インナーシール部を伸縮させる第１弾性部材の伸縮力よりも大きく設定されているため、インナーシール部が鼠径部、股部、臀部に接する力よりも大きな力で、インナーシール部を前記アウターシール部で押えることができる。
【００１６】
ここで、前記インナーシール部を伸縮させる第１弾性部材の形成領域（第１弾性部材が形成されている領域）は、おむつの短手方向において少なくとも１０ｍｍ以上の寸法を有し、前記アウターシール部を伸縮させる第２弾性部材の形成領域（第２弾性部材が形成されている領域）は、おむつの短手方向において、前記第１弾性部材の形成領域の５０％以上、より好ましくは７０％以上で重なっていることが望ましい。
このように、インナーシール部の第１弾性部材がおむつの短手方向において少なくとも１０ｍｍ以上の寸法を有しているため、おむつが排泄物の重み等でずれた場合でもインナーシール部は体との接触面積が大きいために、体と接触し続け、おむつ両側部からの排泄物の漏出をより抑制する。
しかも、アウターシール部の第２弾性部材が、前記第１弾性部材の形成領域の５０％以上、より好ましくは７０％以上で重なっているため、大きな力でインナーシール部を押さえることができ、おむつ両側部からの排泄物の漏出をより抑制できる。
【００１７】
また、前記アウターシール部を伸縮させる第２弾性部材の形成領域が、おむつの短手方向において、前記第１弾性部材の形成領域の幅寸法と同一寸法以上の長さに形成されていることが望ましく、前記第２の弾性部材の形成領域がおむつの短手方向において少なくとも１０ｍｍ以上の寸法を有していることが望ましい。
【００１８】
また、前記第２弾性部材が少なくともおむつ長手方向中心から臀部側に少なくとも１００ｍｍ以上の長さ寸法を有して形成されていることが望ましい。
このように、アウターシール部の長さが、おむつ長手方向中心から臀部側に少なくとも１００ｍｍ形成されることにより、股部から臀部に至るおむつ部分を十分に引っ張ることができなくても、股部の前記アウターシール部が伸ばされることにより、大きな収縮力が発揮され、その収縮力によってインナーシール部を押えることができる。
【００１９】
前記第１弾性部材及び第２弾性部材を、複数本の弾性伸縮材で構成した場合は、前記第１弾性部材における１本の弾性伸縮材の伸縮力は、第２弾性部材における１本の弾性伸縮材の伸縮力より弱く、かつ前記第１弾性部材における弾性伸縮材の本数が、第２弾性部材における弾性伸縮材の本数よりも多く、前記複数本の第２弾性部材の全体の伸縮力が、前記複数本の第１弾性部材の全体の伸縮力よりも大きいことが望ましい。
このように構成されている場合には、おむつ両側部からの排泄物の漏出をより抑制でき、更には、インナーシール部の股部から鼠けい部にかけての食い込みが抑制でき、使用者に与える圧迫感、不快感を抑制できる。
【００２０】
また、本発明は、上記したように使い捨ておむつに限定されることなく、おむつアウターにも適用することができる。
【発明の効果】
【００２１】
本発明によれば、おむつ両側部からの排泄物の漏出をより抑制することができるインナーシール部及びアウターシール部を備える使い捨ておむつを得ることができる。
また、おむつアウターの両側部からの排泄物の漏出をより抑制することができるインナーシール部及びアウターシール部を備えるおむつアウターを得ることができる。
【図面の簡単な説明】
【００２２】
【図１】図１は本発明にかかる第１の実施形態を示す概略斜視図。
【図２】図２は図１に示したおむつのＩ−Ｉ断面図。
【図３】図３は図２に示したインナーシール部の第１弾性部材と、アウターシール部の第２の弾性部材の幅方向の配置関係を示す概略図。
【図４】図４は、図２示したアウターシール部の第２弾性部材の縦方向の配置関係を示す概略図。
【図５】図５は、図２に示したインナーシール部の第１弾性部材と、アウターシール部の第２弾性部材の縦方向の長さ寸法の関係を示す斜視図。
【図６】図６は、図１に示したおむつの臀部における装着状態を示す断面図。
【図７】図７は、図１に示したおむつの股部における装着状態を示す半断面図。
【図８】図８は、本発明にかかる第２の実施形態を示す斜視図。
【図９】図９は、従来のおむつの装着状態を示す断面図。
【図１０】図１０は、本出願人が先に提案したインナーシール構造を採用したおむつの装着方法を説明するための斜視図。
【発明を実施するための形態】
【００２３】
本発明にかかる使い捨ておむつの第１の実施形態について、図１乃至図７に基づいて説明する。
まず、図１、図２に基づいて、本発明にかかる使い捨ておむつの概略構成について説明する。図１、２に示すように、使い捨ておむつ１は、液透過性のトップシート２と、液不透過性のバックシート３と、前記トップシート２とバックシート３の間に介在する液吸収保持性の吸収体４とを備えている。
【００２４】
このトップシート２は、液状の排泄物を吸収体４に透過させるものである。このようなトップシート２は、従来から用いられている、親水性の不織布又は織布、開孔を有するフィルム等を用いることができる。
また、バックシート３は、吸収体４に吸収された排泄物が透過して漏出するのを抑制するものである。このようなバックシート３としては、従来から用いられている、液不透過性フィルム、不織布及び液不透過性フィルムが張り合わされたシート等を用いることができる。
更に、吸収体４は、排泄物を吸収保持するものである。このような吸収体４としては、従来から用いられている、綿状パルプと高吸水性ポリマーを併用したもの等を用いることができる。
【００２５】
更に、使い捨ておむつ１は、前記吸収体４の上面側両側部に（トップシート２側の両側部に）、前記トップシート、バックシート、吸収体で構成されるおむつの長手方向（図１に示すＹ方向）に延設されたインナーシール部５，６を備えている。
このインナーシール部５，６は、トップシート２の表面側に突出するように接着され、おむつの側方外側に倒れるように設けられている。このインナーシール部５，６は、図２に示すようにおむつの側方外側に倒れた領域（面積）を有している。
また、このインナーシール部５，６には、鼠けい部、股部、臀部に面で接する接触部５ａ，６ａが設けられている。この接触部５ａ，６ａは、体と密接する領域である。
このように、インナーシール部５，６は、図２に示すように、前記吸収体４の両側部において、トップシート２に貼合わされ、接触部５ａ，６ａが側方外側に延設されることにより形成されている。
【００２６】
また、このインナーシール部５，６には、第１弾性部材５ｂ、６ｂが設けられている。
この第１弾性部材５ｂ、６ｂは弾性伸縮部材からなり、例えば、長手方向に複数本（図２においては７本）の糸ゴム等からなる弾性伸縮部材によって構成されている。
この第１弾性部材５ｂ、６ｂによって、インナーシール部５，６は、トップシート２、バックシート３、吸収体４で構成されるおむつの長手方向（図１に示すＹ方向）に伸縮可能に構成され、装着状態で前記インナーシール部５，６を鼠けい部、股部、臀部に密着させ、おむつ両側部からの排泄物の漏出を抑制することができる。
尚、このインナーシール部５，６の材質として、疎水性または撥水性を有する材質が望ましい。
【００２７】
また、使い捨ておむつ１は、前記吸収体４の下面側の両側部に（バックシート３側の両側部に）、トップシート２、バックシート３、吸収体４で構成されるおむつの長手方向（図１に示すＹ方向）に延設されたアウターシール部７，８を備えている。
このアウターシール部７，８は、前記吸収体４の側方外側に延設され、鼠けい部、股部、臀部に密着するインナーシール部５，６の接触部５ａ，６ａを外側から押圧する接触部７ａ，８ａが設けられている。この接触部７ａ，８ａには、第２弾性部材７ｂ、８ｂが設けられている。
したがって、前記アウターシール部７，８は、図２に示すように、前記接触部７ａ，８ａの領域（第２弾性部材７ｂ、８ｂが形成された領域）であり、この前記接触部７ａ，８ａの領域（第２弾性部材７ｂ、８ｂが形成された領域）が、インナーシール部５，６の接触部５ａ，６ａを外側から押圧する。
【００２８】
この第２弾性部材７ｂ、８ｂは弾性伸縮部材からなり、例えば、長手方向に複数本（図２においては４本）の糸ゴム等からなる弾性伸縮部材によって構成されている。
この第２弾性部材７ｂ、８ｂにより、アウターシール部７，８は、トップシート２、バックシート３、吸収体４で構成されるおむつの長手方向（図１に示すＹ方向）に伸縮可能に構成され、装着状態で前記インナーシール部５，６を、鼠けい部側、股部側、臀部側に押付け、密着させ、おむつ両側部からの排泄物の漏出をより抑制する機能を有している。
また、このアウターシール部７，８の材質は、インナーシール部５，６の材質と同様に、疎水性または撥水性を有する材質が望ましい。
尚、図２に示すように、インナーシール部５，６を構成するシートは、前記吸収体４の裏面側においてバックシート３と一体化し、それらシートの間に前記アウターシール部７，８の第２弾性部材７ｂ、８ｂを構成する弾性伸縮部材が設けられている。
【００２９】
また、使い捨ておむつ１の後端部は短手方向（図１のＸ方向）に延出されたベルト９に接合されている。
また、ベルト９の一端には、面ファスナー等の止着部９ａが設けられており、この止着部９ａを介して一端が他端に着脱可能に連結される。このように止着部９ａによって、ベルト９の一端が、ベルト９の他端に連結、固定されるため、このベルト９は腰骨に固定される。
【００３０】
また、前記インナーシール部５，６及び前記アウターシール部７，８は、図１に示すＬの範囲に形成されている。
即ち、図１に示すように前記インナーシール部５，６及び前記アウターシール部７，８の一端部が、前記ベルト９に固定される面ファスナー等で形成された止着部１０ａ、１０ｂの上端部（ベルト側端部）を含む前記上端部近傍に形成されている。また、前記インナーシール部５，６及び前記アウターシール部７，８の他端部は、ベルトの下端部（止着部側端部）を含む前記下端部近傍まで形成されている。
尚、前記止着部１０ａ、１０ｂの上端部近傍、ベルト９の下端部近傍とは、インナーシール前方部に設けた止着部１０ａ、１０ｂをベルト９に固定させた状態で、前記第１弾性部材５ｂ、６ｂを十分に伸ばした状態を維持することができる範囲であれば良く、具体的には、止着部１０ａ、１０ｂの上端部から５０ｍｍ程度の範囲、好ましくは３０ｍｍ程度の範囲、またベルト９の下端部から５０ｍｍ程度の範囲、好ましくは３０ｍｍ程度の範囲をいう。
【００３１】
本発明にあっては、インナーシール部５，６を、鼠けい部、股部、臀部に押付け、密接（密着）させ、おむつ両側部からの排泄物の漏出をより抑制する機能を有する、アウターシール部７，８を設けた点に特徴がある。
このアウターシール部７，８がインナーシール部５，６を股部、臀部に押付け、密接させるため、前記アウターシール部７，８に形成された第２弾性部材７ｂ、８ｂの伸縮力が、インナーシール部５，６に形成された第１弾性部材５ｂ、６ｂの伸縮力よりも大きく設定されている。
【００３２】
このように、第２弾性部材７ｂ、８ｂの伸縮力が、第１弾性部材５ｂ、６ｂの伸縮力よりも大きく設定されているため、おむつを装着した際、第２弾性部材７ｂ、８ｂは大きな収縮力を奏し、インナーシール部５，６を外側から押え込み、インナーシール部５，６を、鼠けい部、股部、臀部に押付け、密接（密着）させることができる。
尚、前記第１弾性部材５ｂ、６ｂ及び第２弾性部材７ｂ、８ｂは、例えば、糸ゴムのような弾性伸縮材を複数本用いて形成しても良い。
【００３３】
また、前記したように弾性伸縮材を複数本用いた場合には、前記第１弾性部材５ｂ、６ｂにおける１本の弾性伸縮材の伸縮力を、第２弾性部材７ｂ、８ｂにおける１本の弾性伸縮材の伸縮力より弱く、かつ前記第１弾性部材５ｂ、６ｂにおける弾性伸縮材の本数を、第２弾性部材７ｂ、８ｂにおける弾性伸縮材の本数よりも多く設定することにより、前記第２弾性部材７ｂ、８ｂの全体の伸縮力が、前記複数本の第１弾性部材５ｂ、６ｂの全体の伸縮力よりも大きくなるように構成しても良い。
このように、前記第１弾性部材における弾性伸縮材の本数が多く設定されている場合には、体と接触するインナーシール部の面積を大きくすることができ、おむつ両側部からの排泄物の漏出をより抑制できる。
また、第１弾性部材における１本の弾性伸縮材の伸縮力が、第２弾性部材における１本の弾性伸縮材の伸縮力より弱く設定されているため、股部から鼠けい部にかけての食い込みが抑制でき、使用者に与える圧迫感、不快感を抑制できる。
更に、複数本の第２弾性部材の全体の伸縮力が、前記複数本の第１弾性部材の全体の伸縮力よりも大きく設定されているため、インナーシール部の密接力を向上させることができ、おむつ両側部からの排泄物の漏出をより抑制できる。しかも、第２弾性部材の全体の伸縮力を大きくしても、インナーシール部が介在するため、使用者に与える圧迫感、不快感を抑制できる。
【００３４】
次に、図３に基づいて、第１弾性部材５ｂ、６ｂと、第２弾性部材７ｂ、８ｂの幅方向の配置関係について説明する。
図３（ａ）に示すように、第１弾性部材５ｂ、６ｂが形成された形成領域（弾性伸縮材の形成領域）の幅Ｗ１は、接触部５ａ、６ａが、鼠けい部、股部、臀部に密接（密着）し、おむつ両側部からの排泄物の漏出を抑制するには少なくとも１０ｍｍ以上、好ましくは２０ｍｍ以上が必要である。
特に、第１弾性部材５ｂ、６ｂの形成領域の幅Ｗ１が２０ｍｍ以上に形成されている場合には、水分の多い排泄物であっても、インナーシール部（第１弾性部材５ｂ、６ｂ）を体（鼠けい部、股部、臀部）に密接させることができ漏出を抑制することができる。一方、第１弾性部材５ｂ、６ｂの形成領域の幅Ｗ１が１０ｍｍ以下になると、装着中に形成領域の幅Ｗ１が縮んだ際に、体との接触面積が少なくなり、少しのずれで隙間ができる虞があるため、好ましくない。
【００３５】
また、図３（ａ）に示すように、第２弾性部材７ｂ、８ｂが形成された形成領域（弾性伸縮材の形成領域）の幅Ｗ２は、インナーシール部５，６を、鼠けい部、股部、臀部に押付け、密接させるために、少なくとも１０ｍｍ以上が必要である。
尚、第２弾性部材７ｂ、８ｂはアウターシール部７，８アウター部５，６の幅全体に形成しても良い。
【００３６】
また、図３（ｂ）に示すように、第１弾性部材５ｂ、６ｂに対して第２弾性部材７ｂ、８ｂの配置がずれた場合、前記インナーシール部５，６を押え込み、インナーシール部５，６を、鼠けい部、股部、臀部に押付け、密接させるためには、前記第２弾性部材７ｂ、８ｂは、前記第１弾性部材５ｂ、６ｂの幅Ｗ１の少なくとも５０％以上で押える必要がある。
言い換えると、第２弾性部材７ｂ、８ｂの形成領域の幅Ｗ２が、第１弾性部材５ｂ、６ｂの幅Ｗ１の少なくとも５０％以上で重なっている必要がある。
【００３７】
具体的には、第１弾性部材５ｂ、６ｂの形成領域の幅Ｗ１が２０ｍｍである場合には、第１弾性部材５ｂ、６ｂの形成領域の幅１０ｍｍ以上を第２弾性部材７ｂ、８ｂで押える必要がある。
このとき、第２弾性部材７ｂ、８ｂが、第１弾性部材５ｂ、６ｂの形成領域の幅Ｗ１の吸収体４側の幅１０ｍｍ以上を押さえている方が、漏れ抑制の観点から好ましい。
即ち、おむつ（トップシート２、吸収体４、バックシート３）が体から離れるときは、第１弾性部材５ｂ、６ｂは吸収体４側にずれるため、第２弾性部材７ｂ、８ｂが、第１弾性部材５ｂ、６ｂの形成領域の吸収体４側を押さえる方が、第１弾性部材５ｂ、６ｂのずれを抑制でき、しかも漏れを抑制することができる。
【００３８】
次に、図１、２、４，５に基づいて、第１弾性部材５ｂ、６ｂと、第２弾性部材７ｂ、８ｂの長手方向の配置関係について、更に説明する。
インナーシール部５，６の第１弾性部材５ｂ、６ｂは、おむつ両側部からの排泄物の漏出を抑制するため、図１、図５に示すＬの範囲、即ち、前記ベルト９に固定される止着部１０ａ、１０ｂの上端部（ベルト９側端部）を含む前記上端部近傍からベルト９の下端部（止着部１０ａ、１０ｂ側端部）を含む前記下端部近傍まで形成されているのが望ましい。
また、前記アウターシール部７，８の第２弾性部材７ｂ、８ｂについても、インナーシール部５，６を押える機能を有しているため、図１に示すＬの範囲に形成されているのが望ましい。
【００３９】
ところで、前記アウターシール部７，８の第２弾性部材７ｂ、８ｂの長さは、上記したように図１、５に示すＬの範囲全体に形成されている必要はなく、図４、５に示すＬ１の範囲、即ち、おむつ長手方向中心から臀部側に少なくとも１００ｍｍ以上、好ましくは１５０ｍｍ以上で形成されていれば良い。
このようにアウターシール部７，８の第２弾性部材７ｂ、８ｂが、おむつ長手方向中心から臀部側に少なくとも１００ｍｍ形成されることにより、前記第２弾性部材７ｂ、８ｂの収縮力によってインナーシール部５，６を押えることができ、インナーシール部５、６を、鼠けい部、股部、臀部に密接させることができ、おむつ両側部からの排泄物の漏出をより抑制できる。
即ち、おむつを装着する際、股部後方から臀部に至るインナーシール部５、６を十分に引き上げることができなくても、股部の第２弾性部材７ｂ、８ｂが伸ばされることにより、大きな収縮力が発揮され、その収縮力によってインナーシール部５，６を押えることができる。その結果、インナーシール部５、６を、鼠けい部、股部、臀部に密接させることができ、おむつ両側部からの排泄物の漏出をより抑制できる。
【００４０】
次に、このおむつ１の使用方法を、図４，６，７を参照しながら説明する。まず、図４に示されるように、おむつ１を着用者の背側に配置し、ベルト９を着用者の腰回りに巻きつける。そして、止着部９ａを他端に連結することでベルト９を腰骨に固定する。
続いて、おむつ１の前端側を、股間を通して着用者の腹側に、インナーシール部５，６及びアウターシール部７，８を引延ばしながら（インナーシール部の接触部５ａ、６ａを、鼠けい係部、股部、臀部に密接させながら）止着部１０ａ，１０ｂをベルト９に固定させる。
【００４１】
このようなおむつ１にあっては、前記止着部１０ａ，１０ｂがインナーシール部５，６の前方部に設けられているため、前記おむつ装着時、インナーシール部５，６の接触部５ａ、６ａは第１弾性部材５ｂ、６ｂが十分に伸ばされた状態を維持したまま固定され、鼠けい係部、股部、臀部に密接する。その結果、おむつ両側部からの排泄物の漏出をより抑制できる。
しかも、前記したように、インナーシール部５，６の止着部１０ａ，１０ｂがベルト９に固定されているため、下方に位置ずれし難く、おむつ両側部からの排泄物の漏出を抑制できる。
【００４２】
更に、インナーシール部５，６の外側（下側）には、アウターシール部７，８が配置され、インナーシール部５，６を外側（下側）から押え込むようになされる。
即ち、アウターシール部７，８の第２弾性部材７ｂ、８ｂの伸縮力が、インナーシール部５，６の第１弾性部材５ｂ、６ｂの伸縮力よりも大きく設定されているため、おむつを装着した際、第２弾性部材７ｂ、８ｂは大きな収縮力を奏し、図６、図７に示すように、インナーシール部５，６を外側（下側）から押え込み、インナーシール部５，６を、鼠けい部、股部、臀部に押付け、密接させることができる。
その結果、インナーシール部５，６のみ形成した場合に比べて、アウターシール部７，８を形成した場合には、おむつ両側部からの排泄物の漏出をより抑制できる。
【００４３】
更に、図８に基づいて、第２の実施形態として、吸収体４を有しないおむつアウターに適用した実施例を説明する。
図８に示すように、おむつアウター２０は、液不透過性のシート２１と、液不透過性のシート２１の長手方向に沿って両側部に延設されたインナーシール部２２，２３と、前記インナーシール部２２，２３の下側には、液不透過性のシート２１の長手方向に沿って両側部に延設されたアウターシール部２４，２５とを備えている。
【００４４】
前記シート２１は、別体のおむつ（吸収体）を覆うものであり、排泄物が透過して漏出するのを抑制するものである。
前記インナーシール部２２，２３は、第１の実施形態の場合と同様に、前記シート２１の長手方向に伸縮可能に構成され、装着状態で前記インナーシール部２２，２３を、鼠けい部、股部、臀部に密接させることにより、おむつ両側部からの排泄物の漏出を抑制するものである。
【００４５】
また、アウターシール部２４，２５も、第１の実施形態の場合と同様に、前記シート２１の長手方向に伸縮可能に構成され、装着状態で前記インナーシール部２２，２３を押え込み、インナーシール部２２，２３を、鼠けい部、股部、臀部により密接させることにより、おむつ両側部からの排泄物の漏出をより抑制するものである。
尚、インナーシール部２２，２３、アウターシール部２４，２５に形成されている第１の弾性部材、第２の弾性部材の伸縮力、幅寸法、長さ寸法等は、第１の実施形態と同様であるため、その説明を省略する。
【００４６】
また、前記インナーシール部２２，２３の後端部（あるいは前記後端部を含む近傍）には面ファスナー等の止着部２６、２７が形成されている。この止着部２６、２７はベルト２８に固定され、前記シート２１とベルト２８を連結する。
また、前記インナーシール部２２，２３の前方部には、面ファスナー等の止着部２９、３０が設けられている。インナーシール部２２，２３及びアウターシール部２４，２５は、このベルト２８に前記止着部２９，３０によって固定されるため、下方に位置ずれを起こすことが抑制される。
【００４７】
また、ベルト２８の一端には、面ファスナー等の止着部３１が設けられており、この止着部３１を介して一端が他端に着脱可能に連結される。このベルト２８は腰骨に固定され、下方にずれ落ちるのを抑制する。
【００４８】
このおむつアウター２０の使用方法を説明する。
まず、おむつを装着した後、シート２１とベルト２８が体化したおむつアウター２０を着用者の背側に配置し、ベルト２８を着用者の腰回りに巻きつける。そして、止着部３１を他端に連結することで、ベルト２８を腰骨に固定する。
続いて、おむつアウター２０の前端側を、股間を通して着用者の腹側に、インナーシール部２２，２３及びアウターシール部２４，２５を引延ばしながら（インナーシール部を臀部に密接させながら）、前記止着部２９、３０をベルト３８に固定させる。これにより、おむつアウターを装着することができる。
【００４９】
このようなおむつアウター２０にあっては、おむつアウターの長手方向の両側部にインナーシール部２２，２３が設けられているため、前記おむつアウター装着時、インナーシール部２２，２３は、鼠けい部、股部、臀部に密接する。その結果、おむつアウター両側部からの排泄物の漏出を抑制できる。
【００５０】
更に、インナーシール部２２，２３の外側（下側）には、アウターシール部２４，２５が配置され、インナーシール部２２，２３を押え込むため、インナーシール部２２，２３を鼠けい部、股部、臀部に押付け、より密接させることができる。その結果、インナーシール部２２，２３のみ形成した場合に比べて、アウターシール部２４，２５を形成した場合には、おむつアウター両側部からの排泄物の漏出をより抑制できる。
【００５１】
尚、上記第１，２の実施形態において、第１弾性部材５ｂ、６ｂ、第２弾性部材７ｂ、８ｂとして、長手方向に複数本の糸ゴム等からなる弾性伸縮部材によって構成されているころを例示したが、本発明は、特にこれに限定されるものではなく、例えば、帯状の１本の弾性伸縮部材であっても良く、あるいは弾性伸縮部材としてゴム材ではなく、伸縮不織布等を用いることができる。
また上記第２の実施形態にあっては、ベルト２８を別体に形成し、着脱自在できる構成を示したが、ベルト２８をシート２１に貼合わせ等により一体的に形成しても良い。また、このベルトを別体に形成する構成はおむつアウターに限らず、おむつでも可能である。
【符号の説明】
【００５２】
１        使い捨ておむつ
２        トップシート
３        バックシート
４        吸収体
５        インナーシール部
５ｂ      第１弾性部材
６        インナーシール部
６ｂ      第１弾性部材
７        アウターシール部
７ｂ      第２弾性部材
８        アウターシール部
８ｂ      第２弾性部材
９        ベルト
２０      おむつアウター
２２      インナーシール部
２３      インナーシール部
２４      アウターシール部
２５      アウターシール部
【図１】
2014121374.tif 000003
【図２】
2014121374.tif 000004
【図３】
2014121374.tif 000005
【図４】
2014121374.tif 000006
【図５】
2014121374.tif 000007
【図６】
2014121374.tif 000008
【図７】
2014121374.tif 000009
【図８】
2014121374.tif 000010
【図９】
2014121374.tif 000011
【図１０】
2014121374.tif 000012